(57)【要約】【課題】吐出させる流体の量を抑え、かつ、簡易な構造により、水面に浮遊した被移送物を移送することができる移送装置を提供する。【解決手段】流路Ｓを形成するものであって、流路Ｓにつながり水中に没する吸込口５ａが設けられた流路形成部材５と、流路Ｓ内に水を吐出する吐出口７ａとを備え、吸込口５ａは、水面ＷＬに浮遊したスカムＳｃを、流路Ｓ内に水が吐出されることで流路Ｓ内に吸い込む開口として機能するものであり、流路形成部材５は、流路Ｓ内に吸い込まれたスカムＳｃが、流路Ｓ内に水が吐出されることで水の吐出方向下流側に向かって移動する経路として機能するものである。また、水中における、流路形成部材５周辺の周辺領域Ｒ１と他の領域Ｒ２とを、周辺領域Ｒ１が内側となるように仕切り、周辺領域Ｒ１につながった流入口３ａが設けられた仕切部材３を備えたものであってもよい。【選択図】図３
2018051461.tif 000002
【特許請求の範囲】
【請求項１】
流路を形成するものであって、該流路につながり水中に没する吸込口が設けられた流路形成部材と、
前記流路内に流体を吐出する吐出口とを備え、
前記吸込口は、水面に浮遊した被移送物を、前記流路内に流体が吐出されることで該流路内に吸い込む開口として機能するものであり、
前記流路は、該流路内に吸い込まれた前記被移送物が、該流路内に流体が吐出されることで該流体の吐出方向下流側に向かって移動する経路として機能するものであることを特徴とする移送装置。
【請求項２】
前記流路形成部材は、前記流体の吐出方向と水平面内で直交する幅方向の寸法が高さ方向の寸法よりも長い扁平な形状のものであることを特徴とする請求項１記載の移送装置。
【請求項３】
水中における、前記流路形成部材周辺の周辺領域と他の領域とを、該周辺領域が内側となるように仕切り、該周辺領域につながった流入口が設けられた仕切部材を備え、
前記流入口は、水面に浮遊した前記被移送物を、前記流路内に流体が吐出されることで前記周辺領域内に流入させる開口として機能するものであり、
前記吸込口は、前記流路内に流体が吐出されることで、前記周辺領域内に流入した前記被移送物を該流路内に吸い込む開口として機能するものであることを特徴とする請求項１または２記載の移送装置。
【請求項４】
前記仕切部材は、前記流体の吐出方向と水平面内で直交する幅方向の寸法が高さ方向の寸法よりも長い扁平な形状のものであることを特徴とする請求項３記載の移送装置。
【請求項５】
前記流体の吐出方向と水平面内で直交する方向に移動可能なものであることを特徴とする請求項１から４のうちいずれか１項記載の移送装置。
【発明の詳細な説明】
【技術分野】
【０００１】
本発明は、水面に浮遊した被移送物を移送する移送装置に関する。
【背景技術】
【０００２】
下水処理場の導水渠や沈殿池等には、水面に浮遊したスカム等の被移送物を、スカムピット等に向けて移送する移送装置が設けられている（例えば、特許文献１等参照）。
【０００３】
図１３は、特許文献１記載の移送装置を上方から見た様子の模式図である。特許文献１に記載された移送装置６は、図の左側から右側に向けて汚水が流れていく導水渠９において、汚水の水面から１００ｍｍ〜２００ｍｍ程度上方に設けられた複数のスプレーノズル６１を備えている。これら複数のスプレーノズル６１は、導水渠９の幅方向（図１３では上下方向）に所定の間隔で配置されるとともに、スカムＳｃ（被移送物）の移送方向（図１３では左側から右側に向かう方向）にも所定の間隔で複数列配置されている。特許文献１に記載された移送装置６では、複数のスプレーノズル６１から、不図示のスカムピット等に向かう移送方向に略水平に圧力水やエアーが吐出される。これにより、水面上にスカムピットに向かう気流や吹送流を発生させ、この気流等によって、水面に浮遊したスカムをスカムピット等に向けて移送するものである。
【先行技術文献】
【特許文献】
【０００４】
【特許文献１】特開平７−３０３８８３号公報
【発明の概要】
【発明が解決しようとする課題】
【０００５】
しかしながら、特許文献１に記載された移送装置６では、スプレーノズル６１から吐出される圧力水等が拡散してしまい、被移送物を移送できる気流等を水面上の広い範囲に発生させることは難しい。このため、図１３では、スプレーノズル６１から吐出される圧力水等が効力を及ぼすことができる範囲を一点鎖線で囲んだ白抜きで示すように、一つのスプレーノズル６１によって被移送物（スカムＳｃ）を移送できる水面上の範囲は限定的になってしまう。この結果、スカムＳｃが浮遊する水面上（図では、水面上にまとまった状態で浮遊しているスカムにＳｃ０の符号を付している）に、それぞれ間隔をあけて多数のスプレーノズル６１を配置しなければならず、さらに、これら多数のスプレーノズル６１に圧力水等を供給する多数の配管６２も必要になる等、装置が大掛りになってしまう。その上、多数のスプレーノズル６１から吐出させる圧力水等も大量に必要になる。また、スプレーノズル６１からエアーを吐出する態様では、吐出したエアーによってスカムＳｃが乾燥して固まってしまう場合がある。このように固まってしまったスカムＳｃは水面上を動きにくくなるため、さらに多くのエアーを吐出させなければならないという問題もある。
【０００６】
本発明は上記事情に鑑み、吐出させる流体の量を抑え、かつ、簡易な構造により、水面に浮遊した被移送物を移送することができる移送装置を提供することを目的とする。
【課題を解決するための手段】
【０００７】
上記目的を解決する本発明の移送装置は、流路を形成するものであって、該流路につながり水中に没する吸込口が設けられた流路形成部材と、
前記流路内に流体を吐出する吐出口とを備え、
前記吸込口は、水面に浮遊した被移送物を、前記流路内に流体が吐出されることで該流路内に吸い込む開口として機能するものであり、
前記流路は、該流路内に吸い込まれた前記被移送物が、該流路内に流体が吐出されることで該流体の吐出方向下流側に向かって移動する経路として機能するものであることを特徴とする。
【０００８】
ここで、前記流路形成部材は、前記吸込口が前記水面より低い位置から該水面に向かって開口し、該水面から２００ｍｍ以内の深さに位置するものであってもよい。なお、前記流路形成部材は、前記吸込口が前記水面以外の方向に向かって開口したものであってもよい。また、前記水面の高さが変化する場合には、前記流路形成部材は、鉛直方向に移動し、前記吸込口の高さを変更できるものであってもよい。さらに、前記流路は、前記吸込口側の部分が、該吸込口に近づくほど狭くなったものであってもよい。また、前記流路形成部材は、円筒体の一部を切り欠いた形状のものであってもよい。さらに、前記吐出口は、真円のものであってもよいし、扁平な形状のものであってもよく、また、該吐出口を、吐出方向に間隔をあけて複数設ける態様としてもよい。さらに、前記吐出口から吐出される前記流体は、液体であってもよいし気体であってもよく、気液混合体であってもよい。また、前記吐出口は、毎分３００リットル以上３０００リットル以下の流体を、０．３ＭＰａ以下の圧力で吐出するものであってもよい。
【０００９】
本発明の移送装置によれば、前記吐出口から前記流路内に流体が吐出されることで、吐出された流体の流れに引き込まれて、前記水面に浮遊した前記被移送物が、前記吸込口から該流路内に吸い込まれる。さらに、前記流路内では、吸い込まれた前記被移送物が、前記流体で生じた水の流れによって吐出方向下流側に向かって移動する。このように前記流路内に一旦生じた水の流れは、該流路が前記流路形成部材によって囲われているため、特許文献１記載の移送装置における、気流や吹送流と比べ、はるかに減衰しにくく、被移送物を長い距離移送することができる。さらに、水面上には、前記吸込口に吸い込まれる方向の流れが生じ、水面に浮遊した前記移送物を、広い範囲で前記流路内に吸い込むことができる。
【００１０】
またさらに、水面上における、前記吸込口に吸い込まれる方向の流れによって、水面上に、前記被移送物が除去された領域が移送方向に延在した状態で生じる場合がある。以下、前記被移送物が除去された水面上の領域を、水面の除去領域と称する場合がある。受け入れた汚水を移送方向に流す、例えば導水渠等に前記移送装置を設けた場合には、受け入れた汚水の流れによって水面には移送方向に向かう流れも生じ、この流れによって、スカム（被移送物）が、水面の除去領域を移送方向にも流れる。また、水面の除去領域を流れるスカムが、水面上にまとまった状態で浮遊しているスカムに接触することでその一部が崩れ、崩れた部分は、前記吸込口から吸い込まれて前記流路内を移動し、あるいは、水面の除去領域を流れて移送方向に移動する。この結果、水面上にまとまった状態で浮遊しているスカムを、少しずつ崩しながら効率的に移送することができる。
【００１１】
これらによって、前記吐出口や、該吐出口に流体を供給する配管等の個数が少なくて済み、簡易な構造を採用することができる。さらに、前記吐出口から吐出される流体の量も抑えることができる。なお、前述したように、前記流路内に水の流れが一旦生じればよいため、前記吐出口から吐出させる流体の圧力は、０．１ＭＰａ以下の弱い圧力であっても十分な場合がある。
【００１２】
また、本発明の移送装置において、前記流路形成部材は、前記流体の吐出方向と水平面内で直交する幅方向の寸法が高さ方向の寸法よりも長い扁平な形状のものであってもよい。
【００１３】
このように、扁平な形状の流路形成部材を採用すれば、前記吸込口を前記幅方向に広くとることが容易になる。前記吸込口を前記幅方向に広くすれば、前記水面のより広い範囲に浮遊した前記被移送物を、前記流路内に吸い込むことができる。また、前記流路形成部材を扁平な形状にすることで装置全体を薄く構成し、浅い水路等にも好適に用いることができる。さらに、前記流路形成部材を扁平な形状にすることで、前記移送装置が設けられた導水渠等の汚水等の流れを妨げにくくなり、汚水等の流れに対する抵抗を軽減することも可能になる。
【００１４】
さらに、本発明の移送装置において、水中における、前記流路形成部材周辺の周辺領域と他の領域とを、該周辺領域が内側となるように仕切り、該周辺領域につながった流入口が設けられた仕切部材を備え、
前記流入口は、水面に浮遊した前記被移送物を、前記流路内に流体が吐出されることで前記周辺領域内に流入させる開口として機能するものであり、
前記吸込口は、前記流路内に流体が吐出されることで、前記周辺領域内に流入した前記被移送物を該流路内に吸い込む開口として機能するものであってもよい。
【００１５】
ここで、前記仕切部材は、前記流入口が前記水面より低い位置から該水面に向かって開口し、該水面から２００ｍｍ以内の深さに位置するものであってもよい。また、前記水面の高さが変化する場合には、前記仕切部材は、鉛直方向に移動し、前記吸込口の高さを変更できるものであってもよい。さらに、前記周辺領域は、前記流入口側の部分が、該流入口に近づくほど狭くなったものであってもよい。また、前記仕切部材は、上端部分に前記幅方向の中央側へ入り込んだ湾曲部を有するものであってもよい。さらに、前記流路形成部材は、前記吸込口が前記周辺領域内で開口し、上端部分が、前記流入口と略同じ高さに位置したもの、該流入口よりも下方に位置したもの、あるいは該流入口よりも上方に位置したもののいずれかであってもよい。また、前記仕切部材は、円筒体の上端部分を切り欠いた形状のものであってもよい。さらに、前記仕切部材と前記流路形成部材は、該仕切部材から該流路形成部材にかけて、内周面が連続した曲面で構成されているものであってもよい。また、前記流路形成部材は、前記仕切部材の、前記幅方向における一端側と他端側とのうち、該他端側と離間した状態で、一部を該仕切部材の一部と共通にして該一端側に接続したものであってもよい。
【００１６】
前記仕切部材を備える態様を採用すれば、水中において、前記周辺領域が、該仕切部材によって他の領域と仕切られているため、前記流入口から前記周辺領域内への前記被移送物の流入が促進され、水面に浮遊した該被移送物を効率的に該周辺領域内に流入させることができる。さらに、前記周辺領域は、他の領域と前記仕切部材に仕切られることによって、前記流入口から前記吸込口へ向かう水の流れが妨げられることがなくなり、該周辺領域内に流入した前記被移送物は、該周辺領域内を流れて円滑に該吸込口から吸い込まれる。
【００１７】
また、受け入れた水を移送方向に流す、例えば導水渠等に前記移送装置を設けた場合には、受け入れた水の流れによってスカム（被移送物）が、水面の除去領域を移送方向にも流れる。また、水面の除去領域を流れるスカムが、水面上にまとまった状態で滞留しているスカムに接触することでその一部が崩れ、崩れた部分は、前記流入口から前記周辺領域に流入した後、前記吸込口から吸い込まれて前記流路内を移動し、あるいは、水面の除去領域を流れて移送方向に移動する。この結果、水面上にまとまった状態で滞留しているスカムを、少しずつ崩しながら効率的に移送することができる。
【００１８】
また、本発明の移送装置において、前記仕切部材は、前記流体の吐出方向と水平面内で直交する幅方向の寸法が高さ方向の寸法よりも長い扁平な形状のものであってもよい。
【００１９】
このように、扁平な形状の仕切部材を採用すれば、前記流入口を前記幅方向に広くとることが容易になる。前記流入口を前記幅方向に広くすれば、前記水面のより広い範囲に浮遊した前記被移送物を、前記周辺領域内に流入させることができる。また、前記仕切部材を扁平な形状にすることで装置全体を薄く構成することができ、浅い水路等にも好適に用いることができる。さらに、前記仕切部材を扁平な形状にすることで、前記移送装置が設けられた導水渠等の汚水等の流れを妨げにくくなり、汚水等の流れに対する抵抗を軽減することも可能になる。
【００２０】
さらに、本発明の移送装置は、前記流体の吐出方向と水平面内で直交する方向に移動可能なものであってもよい。
【００２１】
こうすることで、前記移送装置の数を増やすことなく、前記水面における、より広い範囲に浮遊する被移送物を前記流入口から前記周辺領域内に流入させ、移送することができる。
【発明の効果】
【００２２】
本発明によれば、吐出させる流体の量を抑え、かつ、簡易な構造により、水面に浮遊した被移送物を移送することができる移送装置を提供することができる。
【図面の簡単な説明】
【００２３】
【図１】本発明の一実施形態の移送装置が設けられた導水渠を上方から見た平面図である。
【図２】図１に示す導水渠のＡ−Ａ線断面図である。
【図３】図１に示す移送装置のＢ−Ｂ線断面図である。
【図４】（ａ）は、第１変形例の移送装置を示す図であり、（ｂ）は、第２変形例の移送装置を示す図である。
【図５】（ａ）は、第３変形例の移送装置を示す図であり、（ｂ）は、第４変形例の移送装置を示す図である。
【図６】（ａ）は、第５変形例の移送装置を示す図であり、（ｂ）は、第６変形例の移送装置を示す図である。
【図７】（ａ）は、第７変形例の移送装置を示す図であり、（ｂ）は、第８変形例の移送装置を示す図である。
【図８】第９変形例の移送装置を示す図である。
【図９】第１０変形例の移送装置を示す図である。
【図１０】第１１変形例の移送装置を示す図である。
【図１１】本発明の第２実施形態の移送装置が設けられた伏せ越し構造の概略構成図である。
【図１２】図１１に示す伏せ越し管のＣ−Ｃ線断面図である。
【図１３】特許文献１記載の移送装置を上方から見た様子の模式図である。
【発明を実施するための形態】
【００２４】
以下、図面を参照して本発明の実施の形態を説明する。本発明の移送装置は、水面に浮遊する被移送物を移送する様々な設備や構造等に採用することができ、例えば、下水処理場における導水渠や沈殿池、あるいは下水管の伏せ越し構造等に好適に適用することができる。本実施形態では、最初沈殿池や最終沈殿池の導水渠に設けられ、水面に浮遊するスカムを移送する移送装置を例に挙げて説明する。すなわち、本実施形態では、スカムが被移送物の一例に相当する。導水渠は、下水処理場における、沈砂池やばっ気槽等から受け入れた汚水を、複数の沈殿池に分配する水路であり、水面に浮遊するスカムは、スカムピットに回収される。
【００２５】
図１は、本発明の一実施形態の移送装置が設けられた導水渠を上方から見た平面図であり、図２は、図１に示す導水渠のＡ−Ａ線断面図である。なお、図１では、導水渠９から汚水が分配される複数の沈殿池Ｐの一部も示している。
【００２６】
図１に示すように、導水渠９は、上方から見て左右方向に長い長方形状の水路であり、不図示の沈砂池等から送られてきた汚水を受け入れる流水部９１と、この流水部９１とは塞止壁９３で仕切られたスカムピット９２を有している。流水部９１は、汚水を図の左側から受け入れるものであり、受け入れた汚水は、図の右側に設けられたスカムピット９２に向けて流れ、塞止壁９３で塞き止められる。また、流水部９１には、汚水が流水部９１を流れる方向に並設された複数の沈殿池Ｐが、連通口９４を介して接続されている。流水部９１を流れていく汚水は、それぞれの連通口９４からそれぞれの沈殿池Ｐに流れ込むことで分配され、それぞれの沈殿池Ｐに流れ込んだ汚水は、図の下方に向かって流れていく。
【００２７】
図１および図２に示すように、流水部９１には移送装置１が設けられている。この移送装置１を駆動させる前は、流水部９１の汚水Ｗの水面ＷＬ（図２参照）には、その全域にスカムＳｃが浮遊している。図１および図２では、詳しくは後述するように、移送装置１の吐出口７ａから水が吐出されることによってスカムＳｃが図の右側に移送され、塞止壁９３の近傍に集められている様子を示している。すなわち、スカムＳｃは、流水部９１の長手方向に移送され、図１および図２では、左側から右側に向かう方向が、流体が吐出される吐出方向に相当し、スカムＳｃが移送される移送方向にも相当する。なお、流水部９１の短手方向、すなわち、吐出方向と水平面内で直交する方向を、以下、幅方向と称する場合がある。
【００２８】
塞止壁９３には、スカムピット９２に連通した開口部９３ａが形成され、この開口部９３ａを閉塞するゲート９３１が設けられている。ゲート９３１は、例えば上下方向にスライドし、開口部９３ａを開閉可能なものである。このゲート９３１を、その上端が、塞止壁９３で塞き止められた汚水Ｗの水面ＷＬよりも下方に位置するようにスライドさせると、塞止壁９３の近傍に集められたスカムＳｃが汚水とともに、開口部９３ａからゲート９３１を乗り越えてスカムピット９２に流れ込む。なお、スカムピット９２に回収されたスカムは、不図示のスカム処理機に送られ、脱水処理などの所定の処理が行われる。
【００２９】
続いて、図１〜図３を用いて、移送装置１を詳細に説明する。
【００３０】
図３は、図１に示す移送装置１のＢ−Ｂ線断面図である。この図３では、紙面手前側に向かう方向が吐出方向になり、左右方法が幅方向になる。
【００３１】
図１〜図３に示すように、移送装置１は、仕切部材３、流路形成部材５および吐出部材７を備えている。仕切部材３は、図１および図２に示すように、流水部９１において、吐出方向に延在したものであり、全長が、流水部９１の長手方向の長さよりも僅かに短く形成されている。また、仕切部材３は、図１に示すように、吐出方向と平行あるいは略平行に延在し、図２に示すように、水平あるいは略水平に延在したものである。この仕切部材３は、図３に示すように、流水部９１を流れる汚水Ｗ中において、流路形成部材５周辺の周辺領域Ｒ１と、他の領域Ｒ２とを、周辺領域Ｒ１が内側になるように仕切るものであり、周辺領域Ｒ１につながり、汚水Ｗ中に没する流入口３ａを有している。本実施形態の仕切部材３は、径が３００ｍｍ以上４００ｍｍ以下のステンレス製の円筒体の上方の略１／３を切り欠いた断面円弧状のものであり、切り欠いた部分に、上方に向かって開口した流入口３ａが形成されている。この流入口３ａの幅方向の開口長Ｌ３（図４（ａ）参照）は、２７５ｍｍ以上３７５ｍｍ以下に設定されている。また、仕切部材３は、上端部分に幅方向の中央側へ入り込んだ湾曲部３１を有しており、周辺領域Ｒ１は、流入口３ａ側の部分が、流入口３ａに近づくほど狭くなっている。
【００３２】
図１および図２に示すように、流路形成部材５も、仕切部材３と同様に、流水部９１において、吐出方向に延在したものであり、その全長が、仕切部材３と略同じ長さに形成されている。また、流路形成部材５も、図１に示すように、吐出方向と平行あるいは略平行に延在し、図２に示すように、水平あるいは略水平に延在したものである。この流路形成部材５は、図３に示すように、流路Ｓを形成するものであり、この流路Ｓと周辺領域Ｒ１とを仕切っている。また、流路形成部材５は、流路Ｓにつながり、汚水Ｗ中に没する吸込口５ａを有している。本実施形態の流路形成部材５は、径が１５０ｍｍ以上２００ｍｍ以下のステンレス製の円筒体の下方の略１／６を切り欠いた断面円弧状のものであり、切り欠いた部分に、下方に向かって開口した吸込口５ａが形成されている。流路形成部材５は、吸込口５ａが周辺領域Ｒ１内で開口し、上端部分５１が、流入口３ａと略同じ高さになるように、不図示の取付部材によって仕切部材３に取り付けられている。なお、本実施形態では、流路形成部材５の径方向の中心（図では符号Ｏを付して概念的に示している）を、仕切部材３の径方向の中心に一致させている。したがって、仕切部材３と流路形成部材５との径方向の間隔Ｄｉ（本実施形態では７５ｍｍ程度）はいずれの箇所においても略同じになる。
【００３３】
吐出部材７は、その後端部分に給水管７０が接続され、その先端部分に吐出口７ａを備えたものであり、図２に示すように、吐出口７ａが、吐出方向の上流側から流路形成部材５内（流路Ｓ）に挿入されている。給水管７０から吐出部材７に供給された水は、水平方向あるいは略水平方向に吐出口７ａから吐出される（図２における実線の右向きの矢印参照）。本実施形態では、吐出口７ａから吐出される水の吐出圧は、０．３ＭＰａ以下に設定されている。なお、詳しくは後述するように、流路Ｓ内に水の流れが一旦生じればよいため、吐出口７ａから吐出される水の圧力は、０．１ＭＰａ以下であっても十分な場合がある。また、吐出口７ａから吐出される水の流量は、毎分３００リットル以上３０００リットル以下に調整される。ここで、吐出口７ａから吐出する水は、汚水処理場に受け入れた汚水や水道水を使用してもよい。また、水以外の気体や気液混合体等の流体を、吐出口７ａから吐出させてもよい。
【００３４】
本実施形態の吐出部材７は、丸パイプ状の給水管の先端部分を扁平状につぶすことで、その先端に長孔形状の吐出口７ａが形成されたものである。このように丸パイプを扁平状につぶして吐出口７ａを形成する態様を採用すれば、その作製が容易になる。また、図３に示すように、吐出口７ａの幅方向の開口長Ｌ１を、吸込口５ａの幅方向の開口長Ｌ２よりも長く設定している。具体的には、本実施形態では、吸込口５ａの幅方向の開口長Ｌ２は１００ｍｍ程度、吐出口７ａの幅方向の開口長Ｌ１は１２０ｍｍ程度、また、吐出口７ａの高さＨ１は２０ｍｍ程度である。吐出口７ａをこのような扁平な形状にすることで、真円の形状のものよりも、流速を高めた範囲を広く確保することができる。なお、丸パイプ状の給水管の先端部分をつぶさず、この丸パイプ状の給水管をそのまま用いることで、真円状の吐出口７ａを採用する態様の方が好ましい場合もある。
【００３５】
ここで、流水部９１の水面ＷＬの高さは、沈砂池から受け入れる汚水の量等によって変動するため、この水面ＷＬの高さの変動を考慮し、移送装置１を設ける高さ位置が設定される。具体的には、流水部９１の水面ＷＬの高さが変動した場合であっても、仕切部材３の流入口３ａは、水面ＷＬよりも低い位置であって、水面ＷＬからの深さＤｐ１が２００ｍｍ以内、吐出口７ａの高さ方向の中心は、水面ＷＬからの深さＤｐ２が５０ｍｍ以上３００ｍｍ以内、流路形成部材５の吸込口５ａは、水面ＷＬからの深さＤｐ３が１００ｍｍ以上４００ｍｍ以内に収まるように設定されている。また、仕切部材３の流入口３ａは、図２に一点鎖線で示す、塞止壁９３における開口部９３ａの下端部分よりも、上方に位置している。
【００３６】
移送装置１は、その位置を固定してもよいが、水面ＷＬの高さの変動に合わせて、図２および図３の両矢印で示すように、移送装置１全体、あるいは、仕切部材３と流路形成部材５のうちのいずれか一方を、鉛直方向に移動させる態様としてもよい。こうすることで、流入口３ａや吸込口５ａの位置を水面ＷＬの高さの変動に追従させ、水面ＷＬから一定の深さに維持することができる。なお、吐出口７ａは、流路形成部材５の鉛直方向の移動に合わせて鉛直方向に移動させてもよいし、吐出口７ａは固定し、流路形成部材５だけを鉛直方向に移動させる態様としてもよい。また、移送装置１を固定し、流入口３ａや吸込口５ａの位置が、水面ＷＬから一定の深さに維持されるように、流水部９１が受け入れる汚水の量を制御する態様としてもよい。
【００３７】
以上のように構成された移送装置１では、図１および図２に示すように、吐出口７ａから水を吐出させることで、スカムＳｃが移送される。具体的には、吐出口７ａから流路形成部材５の流路Ｓ内に水が吐出されることで、吐出された水の流れに引き込まれて、図３に示すように、吸込口５ａから流路Ｓ内に吸い込まれる方向の水の流れが生じる。これにより、流入口３ａから周辺領域Ｒ１内に流れ込む水の流れが生じるとともに、周辺領域Ｒ１内では吸込口５ａに向かう水の流れが生じる。この結果、流水部９１の水面ＷＬには、仕切部材３の流入口３ａに集まる方向の流れ（流入口３ａ付近の水面ＷＬには、流入口３ａに向かう方向の流れが生じ、他の場所の水がこれを補うことで生じる流れ）が生じる。
【００３８】
図１および図２では、スカムＳｃの流れを模式的に示しており、水面上にまとまった状態で浮遊するスカムに符号Ｓｃ０を付すとともに薄い網掛けを付し、このスカムのまとまりＳｃ０から分離したスカムＳｃを一点鎖線で囲むとともに濃い網掛けを付している。流水部９１の水面ＷＬ（図２および図３参照）の全域にまとまりとなって浮遊しているスカムは、水面に生じた、流入口３ａに集まる方向の流れによって、その一部が崩れて小さな塊のスカムＳｃとなって流入口３ａから周辺領域Ｒ１内に流入する。これが繰り返されることによって、図１に示すように、水面ＷＬ上には、スカムが除去された領域（水面上の除去領域）が、仕切部材３の延在方向、すなわち移送方向に沿って生じる。また、スカムのまとまりＳｃ０から分離したスカムＳｃは、水面上の除去領域を移送方向に流れ、塞止壁９３の近傍に集まる。また、スカムＳｃは、水面上の除去領域を流れていく過程で、スカムのまとまりＳｃ０に接触することでその一部を崩し、崩されたスカムＳｃも、流入口３ａから周辺領域Ｒ１内に流入し、あるいは水面上の除去領域を移送方向に流れていくといった作用が繰り返される。
【００３９】
流入口３ａに集まってきたスカムＳｃは、図３にスカムＳｃの流れを概念的に示すように、流入口３ａから周辺領域Ｒ１内に流入し、周辺領域Ｒ１内を吸込口５ａに向かって流れた後、吸込口５ａから流路Ｓ内に吸い込まれる。ここで、吸込口５ａの、水面ＷＬからの深さを２０ｍｍ以上に設定すると、スカムＳｃを吸込口５ａから、より円滑に流入させることができ好ましい。
【００４０】
汚水Ｗ中において、周辺領域Ｒ１は、仕切部材３によって他の領域Ｒ２と仕切られているため、流入口３ａから周辺領域Ｒ１内へのスカムＳｃの流入が促進され、水面ＷＬに浮遊したスカムＳｃを効率的に周辺領域Ｒ１内に流入させることができる。さらに、周辺領域Ｒ１が他の領域Ｒ２と仕切部材３で仕切られることによって、周辺領域Ｒ１内を流入口３ａから吸込口５ａへ向かう水の流れが妨げられることがなくなり、周辺領域Ｒ１内に流入したスカムＳｃは、周辺領域Ｒ１内を流れて円滑に吸込口５ａから吸い込まれる。
【００４１】
さらに、図１および図２に示すように、流路Ｓ内では、吸い込まれたスカムＳｃが、吐出口７ａから吐出された水の流れによってスカムピット９２に向かって移動し、流路形成部材５における吐出方向の下流端５２から吹き出される。流路形成部材５の下流端５２から吹き出されたスカムＳｃは、前述したように、塞止壁９３の近傍に集まり、ゲート９３１を開放することで、塞止壁９３の近傍に集められたスカムＳｃが、汚水とともにスカムピット９２に回収される。ここで、吐出口７ａから水を吐出することで流路Ｓ内に一旦生じた水の流れは、流路Ｓが流路形成部材５によって囲まれているため減衰しにくく、スカムＳｃを長い距離移送することができる。これらによって、吐出口７ａや、吐出口７ａに水を供給する供給管７ａ等の個数が少なくて済み、簡易な構造を採用することができる。さらに、吐出口７ａから吐出される水量も抑えることができる。
【００４２】
なお、流路形成部材５が長い場合には、図１の一点鎖線で示すように、流路形成部材５の延在方向における途中部分にも、吐出部材７を設けてもよい。さらに、流水部９１の幅方向の長さが長い場合には、流路形成部材５および仕切部材３を流水部９１の幅方向に複数並置し、それぞれの流路形成部材５の流路Ｓ内に水を吐出する吐出部材７を設けてもよいが、図１の両矢印で示すように、移送装置１を幅方向に移動可能とする態様としてもよい。
【００４３】
また、図２の二点鎖線で示すように、流路形成部材５と仕切部材３を、吐出方向の下流側に向かうに従い水面ＷＬに近づくように傾斜した姿勢（吐出方向の下流側が高くなるように傾斜した姿勢）で配置し、流路形成部材５の傾斜した姿勢に沿って、吐出口７ａから流路Ｓ内に水を吐出する態様としてもよい。この態様を採用すれば、吐出口７ａから水を吐出することで流路Ｓ内に生じた水の流れがより減衰しにくくなり、スカムＳｃをより長い距離移送することができる。なお、流路Ｓにおける、吐出口７ａに近い部分は、相対的に強い水の流れが生じているため、流入口３ａの位置が水面ＷＬから多少深くなっても、水面ＷＬに浮遊するスカムＳｃが流入口３ａから流入しにくくなるといった不具合は生じにくい。
【００４４】
次に、図１〜図３に示す移送装置の変形例について、図４〜図１０を用いて説明する。以下に説明する変形例においては、図１〜図３に示す実施形態との相違点を中心に説明し、図１〜図３に示す実施形態における構成要素の名称と同じ名称の構成要素には、これまで用いた符号を付して説明し、重複する説明は省略することがある。また、図４〜図１０では、図３に対応した状態を示すとともに、図面を簡略化するため、吐出部材７については、吐出口７ａのみを示し、仕切部材３および流路形成部材５については、断面形状を模式的に示している。
【００４５】
図４（ａ）は、第１変形例の移送装置を示す図である。この変形例では、流路形成部材５の上端部分５１が、仕切部材３の流入口３ａよりも低くなるように、すなわち、流路形成部材５の上端部分５１が、仕切部材３の流入口３ａよりも、水面ＷＬから深くなるように流路形成部材５と仕切部材３を配置している。これにより、仕切部材３と流路形成部材５との径方向の間隔Ｄｉは、吸込口５ａに向かうにつれて狭くなり、周辺領域Ｒ１内を流れる水の流速は、吸込口５ａに向かうにつれて速くなる。この結果、吸込口５ａからスカムＳｃをより確実に吸い込むことができる。
【００４６】
また、一点鎖線で示すように、流路形成部材５に径の小さなパイプ材を用い、その上部側部分を切り欠いて形成した流入口３ａの幅方向の開口長Ｌ３が、吸込口５ａの幅方向の開口長Ｌ２よりも短い態様としてもよい。こうすることで、流入口３ａに流入する水の流速が速くなり、流入口３ａからスカムＳｃをより円滑に流入させることができる。なお、図４（ａ）において一点鎖線で示す仕切部材３は、その径方向の中心を、流路形成部材５の径方向の中心に一致させているため、仕切部材３と流路形成部材５との径方向の間隔Ｄｉはいずれの箇所においても略同じになる。ただし、実線で示す仕切部材３と同様に、流路形成部材５の位置を下げ、間隔Ｄｉが、吸込口５ａに向かうにつれて狭くなる態様としてもよい。
【００４７】
図４（ｂ）は、第２変形例の移送装置を示す図である。この変形例では、流路形成部材５の上端部分５１が、仕切部材３の流入口３ａよりも高くなるように、流路形成部材５と仕切部材３を配置している。これにより、流路Ｓにおける上部側部分Ｓ１は、流入口３ａよりも上方に位置し、仕切部材３と流路形成部材５との径方向の間隔Ｄｉは、吸込口５ａに向かうにつれて広くなる。この第２変形例では、周辺領域Ｒ１を広く確保することができる。
【００４８】
また、一点鎖線で示すように、径の小さなパイプ材を用いて仕切部材３を形成し、その径方向の中心を、流路形成部材５の径方向の中心に一致させることで、仕切部材３と流路形成部材５との径方向の間隔Ｄｉをいずれの箇所においても同じになる態様としてもよい。なお、流路形成部材５を、その上端部分５１が水面ＷＬ上に位置するように配置してもよいが、流路形成部材５における、水面ＷＬ上に突出した部分によって、水面ＷＬにおける、幅方向の水の流れが遮られてしまうため、上端部分５１が水中に没する位置に流路形成部材５を配置する態様が好ましい。さらに、流路形成部材５における上端部分５１の、水面ＷＬからの深さを、２０ｍｍ以上に設定すれば、上端部分５１にスカムＳｃが載りにくくなり好ましい。
【００４９】
図５（ａ）は、第３変形例の移送装置を示す図である。この第３変形例の移送装置１は、ともに扁平な形状の仕切部材３と流路形成部材５を備えている点が、図３に示す移送装置１と相違する。具体的には、仕切部材３は、その幅寸法Ｗ１の、１／２程度の高さ寸法を有するパイプの上端部分を切り欠いて形成したものである。また、流路形成部材５は、その幅寸法Ｗ２の、１／２程度の高さ寸法を有するパイプの下端部分を切り欠いて形成したものである。すなわち、本変形例における、仕切部材３と流路形成部材５は、吐出方向と水平面内で直交する幅方向の寸法が高さ方向の寸法よりも長い扁平な形状のものである。このように、扁平な形状の仕切部材３を採用すれば、流入口３ａを幅方向に広くとることが容易になる。流入口３ａを幅方向に広くすれば、水面ＷＬのより広い範囲に浮遊したスカムＳｃを、周辺領域Ｒ１内に流入させることができる。また、ともに扁平な形状の仕切部材３と流路形成部材５を採用することで、流水部９１（図１参照）の汚水Ｗの流れを妨げにくくなり、汚水Ｗの流れに対する抵抗を軽減することも可能になる。
【００５０】
なお、一点鎖線で示すように、流路形成部材５の位置を下げ、流路形成部材５の上端部分５１が、仕切部材３の流入口３ａよりも低くなるように配置してもよい。また、扁平な形状の仕切部材３に代えて、二点鎖線で示すように、前述した、図３に示す仕切部材３を用いてもよい。
【００５１】
図５（ｂ）は、第４変形例の移送装置を示す図である。この変形例の移送装置１は、図５（ａ）に示す第３変形例の移送装置１において、流路形成部材５の上端部分５１が、仕切部材３の流入口３ａよりも高くなるように、流路形成部材５と仕切部材３を配置している。これにより、流路Ｓにおける上部側部分Ｓ１は、流入口３ａよりも上方に位置している。なお、扁平な形状の流路形成部材５に代えて、一点鎖線で示すように、前述した、図３に示す流路形成部材５を用いてもよい。
【００５２】
図６（ａ）は、第５変形例の移送装置を示す図である。この変形例の移送装置１は、仕切部材３の形状が、図３に示す移送装置１と相違する。図６（ａ）に示すように、仕切部材３は、鉛直に立設した一対の壁部３２と、これら一対の壁部３２の下端部分を水平方向に連結する底部３３とを有し、上方が開放された断面コ字状のものである。ここで、図３に示す実施形態や、図４や図５に示す変形例のように、仕切部材３の内周面が円弧状のものであると、仕切部材３と流路形成部材５との大小関係や、仕切部材３における流入口３ａの開口長Ｌ３（図４（ａ）参照）によっては、仕切部材３と流路形成部材５のうちの一方を鉛直方向に移動させる際に、仕切部材３と流路形成部材５が干渉してしまう場合がある。本変形例によれば、流路形成部材５の側方に、鉛直に立設した壁部３２が位置するため、図の両矢印に示すように、仕切部材３と流路形成部材５のうちの一方を鉛直方向に移動させる際に、仕切部材３と流路形成部材５が干渉しにくくなる。これによって、仕切部材３と流路形成部材５のうちの一方を鉛直方向に移動させる際の自由度が向上する。また、仕切部材３の作製も容易になる。
【００５３】
仕切部材３と流路形成部材５は、流路形成部材５の上端部分５１が、仕切部材３の流入口３ａと同じ高さになるように配置してもよいが、一点鎖線で示すように、流路形成部材５の上端部分５１が、仕切部材３の流入口３ａよりも低い位置に設定してもよい。なお、二点鎖線で示すように、仕切部材３は、壁部３２の上端側部分３２１を、幅方向の外側に拡がるように湾曲させて形成してもよいし、壁部３２と底部３３との連結部分に、円弧状の隅部３４を設けてもよい。
【００５４】
図６（ｂ）は、第６変形例の移送装置を示す図である。この変形例の移送装置１は、図６（ａ）に示す第５変形例の移送装置１において、仕切部材３の流入口３ａが、流路形成部材５の上端部分５１よりも低くなるように、流路形成部材５と仕切部材３を配置している。なお、一点鎖線で示すように、仕切部材３の底部３３を、下方に凸となる円弧状に形成してもよい。
【００５５】
図７（ａ）は、第７変形例の移送装置を示す図である。この変形例では、仕切部材３の形状が、図３に示す移送装置１と相違する。図７（ａ）に示すように、本変形例の仕切部材３は、上端部分に、幅方向の外側に拡がるように湾曲した第２湾曲部３５を有している。これにより、仕切部材３の流入口３ａが広がり、水面ＷＬのより広い範囲に浮遊したスカムＳｃを、流入口３ａから周辺領域Ｒ１内に流入させることができる。また、一点鎖線で示すように、流路形成部材５の上端部分５１が、仕切部材３の流入口３ａよりも、低くなる位置に流路形成部材５を配置してもよい。
【００５６】
図７（ｂ）は、第８変形例の移送装置を示す図である。この変形例の移送装置１は、図７（ａ）に示す第７変形例の移送装置１において、流路形成部材５の上端部分５１が、仕切部材３の流入口３ａよりも高くなるように、仕切部材３と流路形成部材５を配置している。また、本変形例では、仕切部材３と流路形成部材５との径方向の間隔Ｄｉが最も狭い部分を、吸込口５ａの幅方向の開口長Ｌ２と略同じに設定している。なお、一点鎖線で示すように、径の小さな仕切部材３を採用し、第２湾曲部３５と流路形成部材５との径方向の間隔Ｄｉを、吸込口５ａの幅方向の開口長Ｌ２よりも短くして、この間隔Ｄｉを通過する水の流速を速めるようにしてもよい。
【００５７】
図８は、第９変形例の移送装置を示す図である。この変形例は、流路形成部材５の上端部分５１と吐出口７ａの水面ＷＬからの深さを一定にした状態で、流入口３ａにおける、水面ＷＬからの深さＤｐ１と開口長Ｌ３、および吸込口５ａにおける、水面ＷＬからの深さＤｐ３と開口長Ｌ２を調整できるものである。
【００５８】
図８（ａ）において、二点鎖線の四角で囲んで示すように、仕切部材３は、１／２円弧状の一対の仕切部材構成体３０を有し、図８（ａ）および同図（ｂ）に示すように、これら一対の仕切部材構成体３０を、互いの一部を重ねることで仕切部材３が構成されている。図８（ａ）および同図（ｂ）では、一対の仕切部材構成体３０が重なる部分を、βの符号で示している。これら一対の仕切部材構成体３０は、径方向の中心Ｏを回動中心として回動し、重なる部分βの大きさを変更することができる。
【００５９】
図８（ａ）に示す仕切部材３の状態から、図８（ｂ）に示すように、重なる部分βを小さくすると、流入口３ａの、水面ＷＬからの深さＤｐ１が浅くなり、流入口３ａの開口長Ｌ３が狭くなる。図示は省略するが、反対に、重なる部分βを大きくすると、流入口３ａの、水面ＷＬからの深さＤｐ１が深くなり、流入口３ａの開口長Ｌ３は広くなる。このように、一対の仕切部材構成体３０が重なる部分βの大きさを変更することで、流入口３ａの、水面ＷＬからの深さＤｐ１と開口長Ｌ３を調整することができる。なお、図８では、水面ＷＬの高さが一定の場合に、流入口３ａの、水面ＷＬからの深さＤｐ１を調整する態様を例に挙げて説明したが、水面ＷＬの高さの変動に追従させて、流入口３ａの、水面ＷＬからの深さＤｐ１が一定になるように調整する態様としてもよい。
【００６０】
また、図８（ａ）および同図（ｂ）に示すように、流路形成部材５は、円筒体の下方の略１／３を切り欠いた断面円弧状の流路形成部材本体５０と、この流路形成部材本体５０の切り欠いた部分の両端部分にそれぞれ設けられた、一対のスライド片５３とを備えている。一対のスライド片５３それぞれは、１／５円弧状のものであり、下端部分は、流路形成部材本体５０から下方に突出し、これら下端部分の間に吸込口５ａが形成されている。また、一対のスライド片５３それぞれは、流路形成部材本体５０の内周面５０ａに沿ってスライドし、これによって、吸込口５ａの、水面ＷＬからの深さＤｐ３と開口長Ｌ２を調整することができる。
【００６１】
具体的には、図８（ａ）に示す、流路形成部材５の状態から、図８（ｂ）に、点線の円弧状の矢印で示すように、一対のスライド片５３それぞれを、流路形成部材本体５０の内側（上方）にスライドさせると、吸込口５ａの、水面ＷＬからの深さＤｐ３が浅くなり、吸込口５ａの開口長Ｌ２が広くなる。図示は省略するが、反対に、一対のスライド片５３それぞれを、流路形成部材本体５０の外側（下方）にスライドさせると、吸込口５ａの、水面ＷＬからの深さＤｐ３が深くなり、吸込口５ａの開口長Ｌ２が狭くなる。
【００６２】
なお、図８に示す変形例における、仕切部材３の構成を、流路形成部材５に適用してもよいし、流路形成部材５の構成を、仕切部材３に適用してもよい。また、一対の仕切部材構成体３０やスライド片５３を、吐出方向において複数に分割し、それぞれ調整することで、例えば、流入口３ａの、水面ＷＬからの深さＤｐ１や、吸込口５ａの開口長Ｌ２等を、吐出方向の上流側と、吐出方向の下流側とで異ならせることもできる。
【００６３】
図９は、第１０変形例の移送装置を示す図である。この変形例の移送装置１は、流路形成部材５が、仕切部材３の、幅方向における一端（図では左側の端部）に接続した、いわゆる片持ち状態で仕切部材３に支持されたものである。二点鎖線の四角で囲んで示すように、概念的には、流路形成部材５と仕切部材３それぞれは、一部を互いに共通にした、点線で示す共通部４を有している。これにより、仕切部材３と流路形成部材５との径方向の間隔Ｄｉが確保しやすくなる。また、本変形例では、仕切部材３から流路形成部材５にかけて、内周面４ａが連続した曲面で構成されている。これにより、仕切部材３の流入口３ａから吸込口５ａに向かう水の流れが内周面４ａに沿ったスムーズな流れになり、流路形成部材５の吸込口５ａからスカムＳｃを円滑に吸い込むことができる。なお、流路形成部材５の上端部分５１の高さ（水面ＷＬからの深さ）を、仕切部材３の、幅方向における他端（図では右側の端部）の高さ（水面ＷＬからの深さ）と異ならせてもよいが、図９に示すように、流路形成部材５の上端部分５１の高さと、仕切部材３の、幅方向における他端の高さを同じにすれば、スカムＳｃが、幅方向の両側から流入口３ａに流入しやすくなり好ましい。
【００６４】
図１０は、第１１変形例の移送装置を示す図である。この変形例では、仕切部材３を省略し、流路形成部材５を、その吸込口５ａが上方を向く姿勢に配置している。本変形例では、流路形成部材５の流路Ｓ内に吐出口７ａから水が吐出されると、吐出された水の流れに引き込まれて、図１０に示すように、吸込口５ａから流路Ｓ内に吸い込まれる方向の水の流れが生じる。これにより、図１０にスカムＳｃの流れを概念的に示すように、流水部９１の水面ＷＬに浮遊しているスカムＳｃが吸込口５ａに向かって集まり、吸込口５ａから流路Ｓ内に吸い込まれる。流路Ｓ内に吸い込まれたスカムＳｃは、吐出口７ａから吐出された水の流れによって移送方向に移動する。
【００６５】
なお、円弧状の両矢印で示すように、径方向の中心Ｏを回動中心として流路形成部材５を回動させ、直線の矢印で示す、吸込口５ａが開口する方向を、角度αの範囲で変更できる態様としてもよい。また、流路形成部材５として、一点鎖線で示すように、図５（ａ）の第３変形例の移送装置１における、扁平状の流路形成部材５を用いてもよい。なお、図３に示す実施形態や、図４等に示す、仕切部材３を有する変形例においては、径方向の中心を回動中心として仕切部材３を回動させる態様を採用してもよい。
【００６６】
次いで、設置する設備が異なる、本発明の移送装置の第２実施形態について説明する。以下に説明する第２実施形態においても、図１〜図３に示す実施形態における構成要素の名称と同じ名称の構成要素には、これまで用いた符号を付して説明し、重複する説明は省略することがある。
【００６７】
図１１は、本発明の第２実施形態の移送装置が設けられた伏せ越し構造の概略構成図である。伏せ越し構造とは、下水管が河川や鉄道等を横切る場合、これら河川等よりも低い位置に伏せ越し管を設け、上流側管路と下流側管路との水位差によって下水を流す構造をいう。
【００６８】
伏せ越し構造８は、図１１において、河川Ｒｉの左側から右側に下水ＤＲを流すものであり、図では白抜きの矢印で示すように、左から右に向かう方向が下水ＤＲの流れる方向になる。この伏せ越し構造８は、図１１に示すように、下水ＤＲの流れの上流側から下流側にかけて記載順に、上流側管路８１、上流側マンホール８２、伏せ越し管８３、下流側マンホール８４および下流側管路８５が設けられている。上流側管路８１は、上流側マンホール８２に接続しており、伏せ越し管８３は、河川Ｒｉよりも低い位置において、上流側マンホール８２と、下流側マンホール８４とに接続している。下流側管路８５は、上流側管路８１が上流側マンホール８２に接続した位置よりも低い位置において、下流側マンホール８４に接続している。なお、上流側マンホール８２の底と下流側マンホール８４の底には、それぞれ土砂溜まり８２１，８４１が形成されている。
【００６９】
上流側管路８１を流れてきた下水ＤＲは、上流側管路８１と下流側管路８５との水位差によって生じる、いわゆる逆サイホン作用によって、上流側マンホール８２から、伏せ越し管８３を流れ、さらに、下流側マンホール８４から下流側管路８５を流れていく。
【００７０】
ここで、上流側管路８１には、図１〜図３に示す移送装置１と同じ構成の移送装置１が設けられている。この移送装置１は、上流側管路８１が上流側マンホール８２に接続する領域付近に、流路形成部材５の下流端５２が位置している。前述した図１〜図３に示す移送装置１と同様に、吐出口７ａから水を吐出させると、下水ＤＲの水面ＷＬに浮遊したスカムＳｃは、流路形成部材５に吸い込まれた後、上流側マンホール８２に向かって移送され、流路形成部材５の下流端５２から吹き出されることで、上流側マンホール８２内の下水ＤＲの水面ＷＬに集められる。
【００７１】
上流側マンホール８２内の下水ＤＲの水面ＷＬに集められたスカムＳｃは、上流側マンホール８２の鉄蓋を開けて除去され、また、その一部は、下水ＤＲの流れに引き込まれて伏せ越し管８３に流入する。なお、土砂溜まり８２１に沈降した砂等も、下水ＤＲの流れによって伏せ越し管８３に流入する。伏せ越し管８３には、図１〜図３に示す移送装置１と同じ構成の移送装置１と、沈降する砂等の沈降物を移送する沈降物移送装置２が設けられている。
【００７２】
図１２は、図１１に示す伏せ越し管のＣ−Ｃ線断面図である。なお、図１２では、伏せ越し管８３における、幅方向の両側領域と、上下方向における中間領域は、省略している。
【００７３】
図１２に示すように、伏せ越し管８３内は下水ＤＲで満たされており、下水ＤＲの水面ＷＬは、伏せ越し管８３の天井面８３１に接する状態になっている。移送装置１は、仕切部材３の流入口３ａ、および流路形成部材５の上端部分５１における、水面ＷＬすなわち天井面８３１からの深さＤｐ１が、２０ｍｍ以上に設定されている。水面ＷＬからの深さＤｐ１が、２０ｍｍ未満であると、伏せ越し管８３の天井面８３１と仕切部材３の流入口３ａとの間や、伏せ越し管８３の天井面８３１と流路形成部材５の上端部分５１との間にスカムＳｃが引っ掛かりやすくなり、好ましくない。
【００７４】
吐出部材７の吐出口７ａから流路形成部材５の流路Ｓ内に水が吐出されると、吸込口５ａから流路Ｓ内に吸い込まれる方向の水の流れが生じ、流入口３ａから周辺領域Ｒ１内に流れ込む水の流れが生じるとともに、周辺領域Ｒ１内では吸込口５ａに向かう水の流れが生じる。この結果、水面ＷＬ（天井面８３１付近）には、仕切部材３の流入口３ａに集まる方向の流れが生じ、天井面８３１付近に浮遊しているスカムＳｃが集まってきて、流入口３ａから周辺領域Ｒ１内に流入する。周辺領域Ｒ１内に流入したスカムＳｃは、吸込口５ａから流路Ｓ内に吸い込まれ、吸い込まれたスカムＳｃが、下流側マンホール８４まで移送される。これにより、スカムＳｃが、伏せ越し管８３の天井面８３１に付着して伏せ越し管８３内に留まってしまうといった問題を解消することができる。
【００７５】
伏せ越し管８３の底側には、沈降物を移送する沈降物移送装置２が底面８３２上に設けられている。また、伏せ越し管８３の底は改修され、クロスハッチングで示す、コンクリートで改修された部分によって、沈降物移送装置２に向かって下方に傾斜した、一対の傾斜面８３３が設けられている。沈降物移送装置２は、トラフ２１と、底側流路形成部材２５と、底側吐出部材２７とを備えたものである。トラフ２１は、伏せ越し管８３の底側において、上流側マンホール８２から下流側マンホール８４（図１１参照）に向かう方向に延在した溝Ｍを形成するものである。トラフ２１の上方に向けて開口した部分が、溝Ｍの開口２１ａになり、この溝Ｍの開口２１ａには、傾斜面８３３の下端が接続している。底側流路形成部材２５は、トラフ２１と同じ方向に延在し、その全長が、トラフ２１と略同じ長さに形成されている。底側流路形成部材２５は、底側流路Ｓ２を形成するものであり、この底側流路Ｓ２と溝Ｍとを仕切っている。また、底側流路形成部材２５は、底側流路Ｓ２につながり溝Ｍ内に位置する溝内吸込口２５ａを有している。底側吐出部材２７は、底側吐出口２７ａを備えたものであり、この底側吐出口２７ａから、底側流路Ｓ２内に水が吐出される。
【００７６】
伏せ越し管８３に流れ込んだ下水ＤＲに含まれている砂等の沈降物は、下水ＤＲが下流側へ流れていく課程において沈降していき、傾斜面８３３に沿ってトラフ２１に向かって流れ落ちる。傾斜面８３３から流れ落ちた沈降物は、トラフ２１の開口２１ａから溝Ｍ内に入り込む。また、図１１に示す、上流側マンホール８２の土砂溜まり８２１に堆積した砂等も溝Ｍ内に入り込む場合もある。
【００７７】
底側吐出口２７ａから底側流路Ｓ２内に水が吐出されると、吐出された水の流れに引き込まれて、溝Ｍの底に堆積した沈降物は、図１２に示す曲線の矢印のように、溝内吸込口２５ａから底側流路Ｓ２内に吸い込まれる。さらに、その底側流路形成部材２５の底側流路Ｓ２内では、吸い込まれた沈降物が、底側吐出口２７ａから吐出された水の流れによって吐出方向下流側（下流側マンホール８４側）に向かって移動する。これにより、砂等の沈降物を伏せ越し管８３内に残留させることなく、下流側マンホール８４の土砂溜まり８４１等に移送することができる。
【００７８】
本発明は上述の実施の形態に限られることなく特許請求の範囲に記載した範囲で種々の変更を行うことが出来る。
【００７９】
なお、以上説明した各実施形態や各変形例の記載それぞれにのみ含まれている構成要件であっても、その構成要件を他の実施形態や他の変形例に適用してもよい。
【符号の説明】
【００８０】
１    移送装置
３    仕切部材
３ａ    流入口
５    流路形成部材
５ａ    吸込口
５１    上端部分
７    吐出部材
７ａ    吐出口
９    導水渠
Ｓ    流路
Ｓｃ    スカム
Ｒ１    周辺領域
Ｗ    汚水
【図１】
2018051461.tif 000003
【図２】
2018051461.tif 000004
【図３】
2018051461.tif 000005
【図４】
2018051461.tif 000006
【図５】
2018051461.tif 000007
【図６】
2018051461.tif 000008
【図７】
2018051461.tif 000009
【図８】
2018051461.tif 000010
【図９】
2018051461.tif 000011
【図１０】
2018051461.tif 000012
【図１１】
2018051461.tif 000013
【図１２】
2018051461.tif 000014
【図１３】
2018051461.tif 000015